(57)【特許請求の範囲】
【請求項１】
先端部にハンドピースが連結され他端部がワークテーブルの下部に連結されているインスツルメントホースと、ワークテーブルの下部に回動自在に配設され、前記インスツルメントホースを引き戻すためのフライングアームとを有し、該フライングアームの一端は前記ワークテーブルの下部に設けられた固定軸に対に回動自在に連結される回動軸を有し、他端は前記インスツルメントホースに接続され、前記フライングアームが一方に回動されることによって前記ハンドピースがインスツルメントホルダ上に引き戻されるフライングアームであって、該フライングアームの一部に磁性部材を有し、前記ワークテーブルの下部には前記磁性部材に作用する磁界を発生する磁石を有し、前記ハンドピースが前記インスツルメントホルダに戻された時に、前記磁石が前記磁性部材に作用して、前記フライングアームを、前記ハンドピースが前記インスツルメントホルダに引き戻された状態に保持するようにしたことを特徴とする歯科用インスツルメントホースのロック機構。
【請求項２】
前記磁性部材は、前記フライングアームの回動軸に設けられていることを特徴とする請求項１に記載のインスツルメントホースのロック機構。
【請求項３】
前記磁性部材は、前記フライングアームから延長したアームに設けられていることを特徴とする請求項１に記載の歯科用インスツルメントホースのロック機構。
【請求項４】
前記ワークテーブルに配設された磁石は、電磁石であることを特徴とする請求項１乃至３のいずれかに記載の歯科用インスツルメントホースのロック機構。
【請求項５】
前記ワークテーブルに配設された磁石は、電磁石と永久磁石であることを特徴とする請求項１乃至３のいずれかに記載の歯科用インスツルメントホースのロック機構。
【請求項６】
前記電磁石をオン，オフするスイッチを有し、インスツルメントホルダ移動時に、該電磁石をオンとして、前記フライングアームの移動をロックするようにしたことを特徴とする請求項４又は５に記載の歯科用インスツルメントホースのロック機構。
【請求項７】
前記ワークテーブルに配設された磁石は、永久磁石であることを特徴とする請求項１乃至３のいずれかに記載の歯科用インスツルメントホースのロック機構。
【発明の詳細な説明】
【技術分野】
【０００１】
本発明は、歯科用インスツルメントホースのロック機構、より詳細には、インスツルメント（ハンドピース）をインスツルメントホルダ上に載置した時に、該インスツルメント（ハンドピース）が接続されているインスツルメントホースが垂れ下がって床等に接触するのを防止するようにしたフライングアームを、前記インスツルメント（ハンドピース）をインスツルメントホルダ上に保持している時の状態にロックし、ワークテーブル移動時等において、該ワークテーブルを激しく動かしても、インスツルメント（ハンドピース）がインスツルメントホルダから落下してしまうのを防止するようにしたものである。
【背景技術】
【０００２】
図２は、本発明が適用される歯科治療ユニットの一例を示す全体構成図で、該歯科治療ユニットは、治療椅子１，ワークテーブル２，インスツルメント（ハンドピース）３，インスツルメントホルダ４，インスツルメントホース５等から成り、インスツルメントホルダ４には、歯科治療において使用する種々のハンドピース、例えば、エアータービン、マイクロエンジン、超音波スケーラ、マルチシリンジ等のハンドピース３が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
図３は、上述のごとき歯科治療ユニットにおけるインスツルメントホース５の垂れ下り防止機構の一例を説明するための要部概略構成図で、図示のように、インスツルメントホース５の先端にはインスツルメント（ハンドピース）３が接続されており、常時は、インスツルメントホルダ４に載置されている。この状態のとき、つまり、インスツルメント（ハンドピース）３がインスツルメントホルダ４上に戻されている時、インスツルメントホース５はフライングアーム６によって上方に持ち上げられている。このフライングアーム６がない時は、図中に破線５’にて示すように、インスツルメントホース５が床面等に接触し、非常に不衛生である。
【発明の開示】
【発明が解決しようとする課題】
【０００４】
上述のように、従来の歯科用治療ユニットにおいても、フライングアームを用いてインスツルメントホースの垂れ下りを防止しているが、ワークテーブル移動時において、ワークテーブル２を激しく動かして、該ワークテーブル２を傾斜等させると、インスツルメント（ハンドピース）３がインスツルメントホルダ３から前方にずれ落ちてしまうことがある等の不都合があった。
【０００５】
本発明は、上述のごとき実情に鑑みてなされたもので、インスツルメント（ハンドピース）がインスツルメントホルダに戻されている時、換言すれば、フライングアーム６がインスツルメントホース５を上方に持ち上げている時に、その状態を磁気を用いて保持するようにし、インスツルメントホルダを傾けても、インスツルメント（ハンドピース）がインスツルメントホルダからずれ落ちないようにすることを目的としてなされたものである。
【課題を解決するための手段】
【０００６】
請求項１の発明は、先端部にハンドピースが連結され他端部がワークテーブルの下部に連結されているインスツルメントホースと、ワークテーブルの下部に回動自在に配設され、前記インスツルメントホースを引き戻すためのフライングアームとを有し、該フライングアームの一端は前記ワークテーブルの下部に設けられた固定軸に対に回動自在に連結される回動軸を有し、他端は前記インスツルメントホースに接続され、前記フライングアームが一方に回動されることによって前記ハンドピースがインスツルメントホルダ上に引き戻されるフライングアームであって、該フライングアームの一部に磁性部材を有し、前記ワークテーブルの下部には前記磁性部材に作用する磁界を発生する磁石を有し、前記ハンドピースが前記インスツルメントホルダに戻された時に、前記磁石が前記磁性部材に作用して、前記フライングアームを、前記ハンドピースが前記インスツルメントホルダに引き戻された状態に保持するようにしたことを特徴としたものである。
【０００７】
請求項２の発明は、請求項１の発明において、前記磁性部材は、前記フライングアームの回動軸に設けられていることを特徴としたものである。
【０００８】
請求項３の発明は、請求項１の発明において、前記磁性部材は、前記フライングアームから延長したアームに設けられていることを特徴としたものである。
【０００９】
請求項４の発明は、請求項１乃至３のいずれかの発明において、前記ワークテーブルに配設された磁石は、電磁石であることを特徴としたものである。
【００１０】
請求項５の発明は、請求項１乃至３のいずれかの発明において、前記ワークテーブルに配設された磁石は、電磁石と永久磁石であることを特徴としたものである。
【００１１】
請求項６の発明は、請求項４又は５の発明において、前記電磁石をオン，オフするスイッチを有し、インスツルメントホルダ移動時に、該電磁石をオンとして、前記フライングアームの移動をロックするようにしたことを特徴としたものである。
【００１２】
請求項７の発明は、請求項１乃至３のいずれかの発明において、前記ワークテーブルに配設された磁石は、永久磁石であることを特徴としたものである。
【発明の効果】
【００１３】
本発明によると、インスツルメント（ハンドピース）がインスツルメントホルダに戻されている時、換言すれば、フライングアーム６がインスツルメントホースを上方に持ち上げている時に、その状態を磁気を用いて保持するようにしたので、インスツルメントホルダを傾けても、インスツルメント（ハンドピース）がインスツルメントホルダからずれ落ちるようなことはない。
【発明を実施するための最良の形態】
【００１４】
図１は、本発明によるインスツルメントホースロック機構の一実施例を説明するための要部概略構成図で、図１（Ａ）において、２はワークテーブル、５はインスツルメントホース、６はフライングアームで、該フライングアーム６には常に矢印方向に回動する力が与えられており、インスツルメント（ハンドピース）が引き出されて使用されている時は、点線６’にて示すように回動してインスツルメント（ハンドピース）の引き出しをゆるし、インスツルメント（ハンドピース）がインスツルメントホルダ上に戻された時は、実線位置６に自力で戻り、インスツルメントホース５を上方に持ち上げている。以上の動作は、従来のフライングアームと全く同じである。
【００１５】
本発明は、上述のごときフライングアーム６にロック機構を設け、フライングアーム６が、図１の実線の位置にある時、つまり、インスツルメント（ハンドピース）３がインスツルメントホルダ４上に戻されて、インスツルメントホース５が該フライングアーム６によって上方に持ち上げられている時に、該フライングアームをその状態にロックし、インスツルメントホルダが前方に傾斜してインスツルメント（ハンドピース）３がインスツルメントホルダ４上からずり落ちないようにしたものである。
【００１６】
図１（Ｂ）は、本発明によるロック機構の例を説明するための図で、図中、２はワークテーブル、２ａは該ワークテーブル２の下部に設けられた固定軸で、フライングアーム６の一端（ヒンジ部）６ａは該固定軸２ａのまわりに回動自在に取り付けられている。１１は本発明によってワークテーブル２の下部に取り付けられた磁石（電磁石、又は、電磁石と永久磁石、又は、永久磁石）であり、１２は本発明によって、フライングアーム６に取り付けられた磁性部材で、該磁性部材１２は、好ましくは、インスツルメント（ハンドピース）３がインスツルメントホルダに戻され、フライングアーム６がインスツルメントホースを最大限持ち上げている状態の時に、磁石１１に最も接近し、該磁石１１によってその位置に保持されるような位置に取り付けられる。この磁石１１の保持力は、インスツルメント（ハンドピース）３がインスツルメントホルダからずり落ちるのを防止することができる程度の力でよいが、それよりも大きくしても構わない。
【００１７】
磁石１１として、電磁石を使用する時は、該電磁石に流す電流を調整することによって、フライングアーム６の回動をロックする力を調整することができ、更には、該電磁石をオン，オフ制御する操作スイッチを、ワークテーブル、インスツルメントホルダ等の操作しやすい場所に設けておき、インスツルメントホルダを移動するのに先立って、該操作スイッチをオンにして前記電磁石を作動させるようにしてもよく、このようにしておけば、電磁石に大きな電流を流すことにより、インスツルメントホルダを少々乱暴に動かしても、インスツルメントがずり落ちるような心配はなく、また、インスツルメントを引き出す時は、操作スイッチをオフにすれば、インスツルメントを容易に引き出せる。また、永久磁石と併用する時は、電磁石にそれ程大きな電流を流すことなく、それが省電に繋がり、更に、永久磁石のみを使用する時は、省電は勿論、構成が簡単となってコスト安となり、更には、保守，管理も楽になる。そのどれを選ぶかは、使用する条件、環境等を勘案して決めればよい。
【００１８】
また、以上には、磁性部材１２を従来より使用しているフライングアーム６にそのまま取り付けた例を示したが、そのままでは、磁石１１の取り場所が困難な時に、フライングアーム６に枝アーム６ｂを付加し、その枝アーム６ｂに磁性部材１２を取り付け、該枝アーム６ｂがワークテーブル２の下部に一番接近する箇所に磁石１１を設ける等、必要に応じて、種々の改変は可能である。
【図面の簡単な説明】
【００１９】
【図１】本発明によるインスツルメントホースロック機構を説明するための要部概略構成図である。
【図２】本発明が適用されるインスツルメントホースを備えた歯科治療ユニットの一例を説明するための図である。
【図３】インスツルメントホースの垂れ下り防止機構の一例を説明するための要部概略構成図である。
【符号の説明】
【００２０】
２…ワークテーブル、２ａ…ワークテーブルに設けられた固定軸、５…インスツルメントホース、６…フライングアーム、６ａ…フライングアームの回転軸部（ヒンジ部）、６ｂ…フライングアームの枝アーム、１１…磁石、１２…磁性部材。
【図１】
0004562642.tif 000002
【図２】
0004562642.tif 000003
【図３】
0004562642.tif 000004